(57)【特許請求の範囲】
【請求項１】
上下方向に延設される長尺の施工対象物に熱可塑性樹脂を被覆する方法であって、
径方向に分割可能な有底筒状を有する型枠の底部に、前記施工対象物を挿通可能な挿通穴を設け、前記底部を下方にして前記挿通穴に前記施工対象物を挿通させる態様で、前記型枠を前記施工対象物の被覆範囲の上端近傍に設置し、
前記型枠内へ流動状態の前記熱可塑性樹脂を注ぎ込み、前記型枠内の前記熱可塑性樹脂の温度を保持した状態で、前記型枠が前記被覆範囲の下端に到達するまで、前記型枠を前記施工対象物に沿って降下させ、この際、前記型枠に取り付けるヒーターと、該ヒーターの温度を制御する温度制御装置とを用いて、前記型枠内の前記熱可塑性樹脂の温度を保持し、
前記施工対象物が複数の金属製のワイヤを撚り合わせたワイヤロープであり、該ワイヤロープには、油分を含む防錆剤が注入されており、
前記ワイヤロープに被覆した前記熱可塑性樹脂の熱の影響によって、前記ワイヤロープの内部から前記防錆剤の油分が溶け出さないように、前記温度制御装置により前記ヒーターの温度を制御することを特徴とする熱可塑性樹脂の被覆方法。
【請求項２】
前記挿通穴の内周面を前記ワイヤロープの外周面の形状に倣った形状に設け、
前記型枠を降下させる際、前記ワイヤロープの撚り方向に沿って、前記型枠の少なくとも底部を回転させながら降下させることを特徴とする請求項１記載の熱可塑性樹脂の被覆方法。
【請求項３】
前記挿通穴の内周部に、前記施工対象物と前記底部との間を摺動可能にシールする摺動シール部材を装着したことを特徴とする請求項１記載の熱可塑性樹脂の被覆方法。
【請求項４】
前記型枠を、前記被覆範囲の下端まで降下させ、分割状態にして前記施工対象物から取り外した後、前記被覆範囲の上端近傍への前記型枠の設置から、前記被覆範囲の下端への前記型枠の降下までの工程を、再度実行することで、前記施工対象物に対して前記熱可塑性樹脂を二層に被覆することを特徴とする請求項３記載の熱可塑性樹脂の被覆方法。
【請求項５】
前記施工対象物の、前記被覆範囲の下端側が構造物に埋め込まれていると共に、該構造物の、前記施工対象物が埋め込まれた部位の周囲に座繰り部が設けられており、
前記型枠を降下させた後、前記型枠の少なくとも底部を分割状態にして、前記型枠内に残っていた前記熱可塑性樹脂を、前記構造物の座繰り部内へ流し込むことを特徴とする請求項１から４のいずれか１項記載の熱可塑性樹脂の被覆方法。
【請求項６】
前記施工対象物が金属製であり、前記熱可塑性樹脂が防錆剤であることを特徴とする請求項１から５のいずれか１項記載の熱可塑性樹脂の被覆方法。
【請求項７】
上下方向に延設される長尺の施工対象物に熱可塑性樹脂を被覆する装置であって、
径方向に分割可能な有底筒状を成し、底部に前記施工対象物を挿通可能な挿通穴が設けられ、該挿通穴に前記施工対象物が挿通された状態で前記熱可塑性樹脂を貯留すると共に、前記施工対象物に沿って移動可能な型枠と、
前記型枠内に貯留された前記熱可塑性樹脂の温度を保持するための温度保持手段と、を含み、
該温度保持手段が、前記型枠に取り付けられるヒーターと、該ヒーターの温度を制御する温度制御装置とで構成され、
前記施工対象物が複数の金属製のワイヤを撚り合わせたワイヤロープであり、該ワイヤロープには、油分を含む防錆剤が注入されており、
前記温度制御装置は、前記ワイヤロープに被覆された前記熱可塑性樹脂の熱の影響によって、前記ワイヤロープの内部から前記防錆剤の油分が溶け出さないように、前記ヒーターの温度を制御するものであることを特徴とする熱可塑性樹脂の被覆装置。
【請求項８】
前記挿通穴の内周面が、前記ワイヤロープの外周面の形状に倣った形状に形成されていることを特徴とする請求項７記載の熱可塑性樹脂の被覆装置。
【請求項９】
前記型枠は、筒状の本体部と前記底部とが別体に構成され、前記底部が、前記本体部に対して、前記施工対象物を回転軸とする方向に回転可能に保持されていることを特徴とする請求項８記載の熱可塑性樹脂の被覆装置。
【請求項１０】
前記挿通穴の内周部に、前記施工対象物と前記底部との間を摺動可能にシールする摺動シール部材が装着されていることを特徴とする請求項７記載の熱可塑性樹脂の被覆装置。
【請求項１１】
前記型枠を前記施工対象物に沿って降下及び上昇させるための昇降手段を備え、
該昇降手段は、前記型枠を吊り下げるためのワイヤと、該ワイヤの繰り出し及び巻き取りを行う駆動部と、該駆動部を前記施工対象物の任意位置に設置するためのベース部と、前記駆動部の動作を制御する制御部と、を含むことを特徴とする請求項７から１０のいずれか１項記載の熱可塑性樹脂の被覆装置。
【発明の詳細な説明】
【技術分野】
【０００１】
本発明は、上下方向に延設される長尺の施工対象物に、熱可塑性樹脂を被覆する方法及び装置に関するものである。
【背景技術】
【０００２】
施工対象物に熱可塑性樹脂を被覆する方法として、専用機器を用いた方法が挙げられる。この方法では、専用機器の融解炉によって流動状態になるまで加熱した高温の熱可塑性樹脂を、ポンプを利用した圧力によって押し出し、ホースを介して専用のガンにより吹き付けることで、施工対象物に熱可塑性樹脂を被覆する。又、特許文献１には、ＰＣ鋼材を押出成型機へ順次送り出し、押出成型機においてＰＣ鋼材の外周に加熱溶融させた熱可塑性合成樹脂材を供給することで、ＰＣ鋼材の外周に熱可塑性合成樹脂材を被着する方法が開示されている。
【先行技術文献】
【特許文献】
【０００３】
【特許文献１】特開平８−４２０６２号公報
【発明の概要】
【発明が解決しようとする課題】
【０００４】
しかしながら、上述した専用機器を用いた被覆方法では、例えば、吊り橋のハンガーロープ等、施工対象物が上下方向に延設された長尺物であり、更に表面に凹凸を有するものである場合に、以下のような問題が発生する。すなわち、施工対象物の上方側から吹き付けを開始すると、上方側で吹き付けた熱可塑性樹脂が下方へ垂れ、垂れた熱可塑性樹脂が施工対象物の下方の表面の凹部に入り込まずに凹部を覆うようにして硬化してしまい、施工対象物と熱可塑性樹脂との間に隙間が生じてしまう。これとは逆に、施工対象物の下方側から吹き付けを開始すると、施工対象物の表面の凹部に熱可塑性樹脂が充填され、施工対象物と熱可塑性樹脂との間に隙間が発生し難くなるものの、硬化前の熱可塑性樹脂は常に下方へ垂れていくため、施工対象物の下方側の樹脂厚が厚くなると共に、垂れた形状で硬化した熱可塑性樹脂によって施工対象物の美観が損なわれてしまう。又、吊り橋のハンガーロープ等の上下方向に延設された施工対象物を、押出成型機に通すことは実質的に不可能であるため、特許文献１の方法を採用することはできない。
【０００５】
本発明は上記課題に鑑みてなされたものであり、その目的とするところは、上下方向に延設されると共に表面に凹凸を有する長尺の施工対象物に、熱可塑性樹脂を品質良く被覆することにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）上下方向に延設される長尺の施工対象物に熱可塑性樹脂を被覆する方法であって、径方向に分割可能な有底筒状を有する型枠の底部に、前記施工対象物を挿通可能な挿通穴を設け、前記底部を下方にして前記挿通穴に前記施工対象物を挿通させる態様で、前記型枠を前記施工対象物の被覆範囲の上端近傍に設置し、前記型枠内へ流動状態の前記熱可塑性樹脂を注ぎ込み、前記型枠内の前記熱可塑性樹脂の温度を保持した状態で、前記型枠が前記被覆範囲の下端に到達するまで、前記型枠を前記施工対象物に沿って降下させ、この際、前記型枠に取り付けるヒーターと、該ヒーターの温度を制御する温度制御装置とを用いて、前記型枠内の前記熱可塑性樹脂の温度を保持し、前記施工対象物が複数の金属製のワイヤを撚り合わせたワイヤロープであり、該ワイヤロープには、油分を含む防錆剤が注入されており、前記ワイヤロープに被覆した前記熱可塑性樹脂の熱の影響によって、前記ワイヤロープの内部から前記防錆剤の油分が溶け出さないように、前記温度制御装置により前記ヒーターの温度を制御する熱可塑性樹脂の被覆方法（請求項１）。
【０００８】
本項に記載の熱可塑性樹脂の被覆方法は、径方向に分割可能な有底筒状を有する型枠の底部に、長尺の施工対象物を挿通可能な挿通穴を設け、底部を下方にして挿通穴に施工対象物を挿通させる態様で、型枠を施工対象物の被覆範囲の上端近傍に設置する。すなわち、有底筒状の型枠を分割状態にし、底部に設けた挿通穴を長尺の施工対象物が通るように、型枠の底部側を下方にして、施工対象物の被覆範囲の上端近傍において型枠を接合する。すると、施工対象物は、被覆範囲の上端近傍の部位が型枠の内部に位置し、被覆範囲の上端よりも下方の部位が挿通穴を介して下方へ延在する状態となる。そして、接合させた有底筒状の型枠内へ、加熱して流動状態にした熱可塑性樹脂を注ぎ込み、型枠内の熱可塑性樹脂の温度を保持した状態で、型枠が施工対象物の被覆範囲の下端に到達するまで、型枠を施工対象物に沿って降下させるものである。型枠内の熱可塑性樹脂の温度保持は、型枠に取り付けるヒーターと、このヒーターの温度を制御する温度制御装置とを用いて行う。
【０００９】
この際、型枠の内部に位置する施工対象物の部位は、温度が保持されることで流動状態が維持された熱可塑性樹脂に浸漬される状態になる。この状態で、施工対象物の施工範囲の上端から下端まで型枠を降下させるため、施工対象物の全施工範囲が、熱可塑性樹脂に一時的に浸漬されることとなる。このため、施工対象物の表面に凹凸がある場合であっても、全施工範囲にわたって、施工対象物表面の凹部まで熱可塑性樹脂が充填されると共に、滑らかで美しい仕上がり面の被覆が形成される。これにより、長尺の施工対象物に対して、熱可塑性樹脂が品質良く被覆されるものである。更に、型枠を降下させる速度を調整することによって、厚みが薄く均一な被覆が形成されるため、樹脂の使用量が目的に応じた必要十分な量に抑えられ、コストダウンや施工時間の短縮に寄与することとなる。なお、型枠の降下は、装置を介して行ってもよく、人力により行ってもよい。
【００１０】
更に、本項に記載の熱可塑性樹脂の被覆方法は、上下方向に延設される長尺の施工対象物が、複数の金属製のワイヤを撚り合わせたワイヤロープであり、例えば、施工対象物の長尺方向と直交する断面の、複数のワイヤが成す円形配置の中心近傍に相当する部分に、油分を含む防錆剤が注入されている。この防錆剤の油分は、施工対象物が熱可塑性樹脂の熱によって熱せられると、流動性が高まって施工対象物から溶け出る虞がある。しかしながら、本項に記載の熱可塑性樹脂の被覆方法は、上述したように、厚みが薄く均一な被覆が形成される速度で、型枠を降下させるものであり、又、温度制御装置によって、型枠に取り付けたヒーターの温度を制御するため、熱可塑性樹脂から施工対象物へ不本意な熱が伝わる前に、熱可塑性樹脂が冷めて硬化する。このため、ワイヤロープの内部から防錆剤の油分が外へ溶け出すリスクが、大幅に低減されるものとなる。
【００１１】
（２）上記（１）項において、前記挿通穴の内周面を前記ワイヤロープの外周面の形状に倣った形状に設け、前記型枠を降下させる際、前記ワイヤロープの撚り方向に沿って、前記型枠の少なくとも底部を回転させながら降下させる熱可塑性樹脂の被覆方法（請求項２）。
本項に記載の熱可塑性樹脂の被覆方法は、ロープ状の施工対象物、すなわち、複数の金属製のワイヤを撚り合わせたワイヤロープの、外周面の形状に倣った形状に、底部の挿通穴の内周面を設ける。そして、熱可塑性樹脂が注ぎ込まれた型枠を降下させる際に、施工対象物のロープ状の撚り方向に沿って、型枠の少なくとも底部を回転させながら降下させるものである。
【００１２】
すなわち、ロープ状の施工対象物は、螺旋状に変化する外周面を有しているため、少なくとも型枠の、ロープ状の外周面の形状に倣った形状の内周面を有する挿通穴が設けられた底部を、ロープ状の撚り方向（螺旋方向）に沿って回転させながら、型枠を降下させることで、挿通穴の内周面の形状と、施工対象物の、挿通穴に挿通している部位の外周面の形状とを常に一致させる。これにより、挿通穴の内周部とロープ状の施工対象物の外周部とを常に接触させ、挿通穴と施工対象物との間の隙間から、型枠内の熱可塑性樹脂が漏れることを防止するものである。なお、型枠の底部を回転させる際は、底部のみを型枠の本体部に対して回転させてもよく、型枠全体を回転させてもよい。又、挿通穴とロープ状の施工対象物との間には、型枠内の熱可塑性樹脂の粘度を考慮して、熱可塑性樹脂の漏れを防ぎ、かつ、底部（或いは型枠全体）を回転させながら型枠を降下させることができる程度の、隙間が許容されることは理解されるであろう。
【００１３】
（３）上記（１）項において、前記挿通穴の内周部に、前記施工対象物と前記底部との間を摺動可能にシールする摺動シール部材を装着した熱可塑性樹脂の被覆方法（請求項３）。
本項に記載の熱可塑性樹脂の被覆方法は、挿通穴の内周部に、例えばスポンジ、ブラシ等の、底部と施工対象物との間を摺動可能にシールする摺動シール部材を装着する。そして、熱可塑性樹脂が注ぎ込まれた型枠を降下させる際に、挿通穴の内周部に装着した摺動シール部材を、施工対象物に接触させた状態で降下させるものである。
【００１４】
すなわち、摺動シール部材が接触するロープ状の施工対象物の外周面は、上記（２）項に記載したように螺旋状に変化するが、摺動シール部材は、その特有の性質によって、変化する施工対象物の外周面に合わせて、施工対象物に対して接触する部位の形状が変化する。これにより、挿通穴とロープ状の施工対象物との間の隙間から、型枠内の熱可塑性樹脂が漏れることを防止しながら、型枠を降下させるものとなる。
【００１５】
（４）上記（３）項において、前記型枠を、前記被覆範囲の下端まで降下させ、分割状態にして前記施工対象物から取り外した後、前記被覆範囲の上端近傍への前記型枠の設置から、前記被覆範囲の下端への前記型枠の降下までの工程を、再度実行することで、前記施工対象物に対して前記熱可塑性樹脂を二層に被覆する熱可塑性樹脂の被覆方法（請求項４）。
【００１６】
本項に記載の熱可塑性樹脂の被覆方法は、被覆範囲の上端近傍への型枠の設置から、被覆範囲の下端への型枠の降下までの工程を実行し、型枠を分割状態にして施工対象物から取り外した後、再度、被覆範囲の上端近傍への型枠の設置から、被覆範囲の下端への型枠の降下までの工程を実行することで、施工対象物に対して熱可塑性樹脂を二層に被覆するものである。このとき、二層目の被覆を行う際の施工対象物は、一層目の被覆を行う際の施工対象物と比較して、一層目の被覆が既に形成されていることで、外周形状やその大きさが変化しているが、その変化量は、被覆の厚みが薄いことから僅かなものであるため、型枠の挿通穴の内周部に装着された摺動シール部材によって吸収される。このため、二層目の被覆を行う際に用いる型枠は、一層目の被覆の際よりも大きな挿通穴が設けられた底部を有する型枠である必要はなく、一層目の被覆を行う際に用いた型枠がそのまま利用される。従って、施工対象物に対して熱可塑性樹脂を、効率よく二層に被覆するものとなる。
【００１７】
ここで、施工対象物に対して一層目の被覆を形成したとき、ロープ状の施工対象物の内部に残存する僅かな空気が、熱可塑性樹脂の熱の影響によって、施工対象物の内部から、施工対象物の外周部と熱可塑性樹脂の被覆との間へ移動し、空気が入った玉が被覆に形成される場合がある。この場合には、その玉の部分を潰し、その周囲の熱可塑性樹脂に熱を加えて、施工対象物の表面が露出しないように熱可塑性樹脂の形を整えた後に、二層目の被覆を行えばよい。二層目の被覆の際は、施工対象物に一層目の被覆が形成されているため、施工対象物まで熱可塑性樹脂の熱が伝わり難く、空気が入った玉が被覆に形成されることはない。このように、一層目の被覆に空気が入った玉が発生した場合であっても、二層目の被覆を形成することで、滑らかで美しい仕上がり面の被覆が形成されることとなる。
【００１８】
（５）上記（１）から（４）項において、前記施工対象物の、前記被覆範囲の下端側が構造物に埋め込まれていると共に、該構造物の、前記施工対象物が埋め込まれた部位の周囲に座繰り部が設けられており、前記型枠を降下させた後、前記型枠の少なくとも底部を分割状態にして、前記型枠内に残っていた前記熱可塑性樹脂を、前記構造物の座繰り部内へ流し込む熱可塑性樹脂の被覆方法（請求項５）。
本項に記載の熱可塑性樹脂の被覆方法は、型枠を降下させた後に、型枠内に残っていた熱可塑性樹脂を、施工対象物が埋め込まれた構造物の、施工対象物が埋め込まれた部位の周囲に設けられた座繰り部内へ流し込むものである。これにより、施工対象物の、被覆範囲の下端側の部位の周囲や、施工対象物と構造物との間の隙間においても、熱可塑性樹脂の被覆が形成されることとなる。
【００１９】
（６）上記（１）から（５）項において、前記施工対象物が金属製であり、前記熱可塑性樹脂が防錆剤である熱可塑性樹脂の被覆方法（請求項６）。
本項に記載の熱可塑性樹脂の被覆方法は、金属製の長尺の施工対象物に対して、熱可塑性の防錆樹脂を被覆するものである。ここで、熱可塑性の防錆樹脂は、一般的に、専用機器を用いて加熱や吹き付け等を行っていたが、特にその加熱は時間を要するものであった。しかしながら、本項に記載の熱可塑性樹脂の被覆方法は、熱可塑性防錆樹脂の吹き付けや加熱を行うための専用機器を用いる必要はなく、吹き付け機能が無い加熱に特化した汎用の加熱機器（電気鍋等）を用いて、必要十分な量だけの熱可塑性防錆樹脂を加熱すればよいものである。従って、熱可塑性防錆樹脂の加熱時間が大幅に短縮され、延いては、全体の施工時間が大幅に短縮されるものである。
【００２０】
（７）上下方向に延設される長尺の施工対象物に熱可塑性樹脂を被覆する装置であって、径方向に分割可能な有底筒状を成し、底部に前記施工対象物を挿通可能な挿通穴が設けられ、該挿通穴に前記施工対象物が挿通された状態で前記熱可塑性樹脂を貯留すると共に、前記施工対象物に沿って移動可能な型枠と、前記型枠内に貯留された前記熱可塑性樹脂の温度を保持するための温度保持手段と、を含み、該温度保持手段が、前記型枠に取り付けられるヒーターと、該ヒーターの温度を制御する温度制御装置とで構成され、前記施工対象物が複数の金属製のワイヤを撚り合わせたワイヤロープであり、該ワイヤロープには、油分を含む防錆剤が注入されており、前記温度制御装置は、前記ワイヤロープに被覆された前記熱可塑性樹脂の熱の影響によって、前記ワイヤロープの内部から前記防錆剤の油分が溶け出さないように、前記ヒーターの温度を制御するものである熱可塑性樹脂の被覆装置（請求項７）。
【００２１】
本項に記載の熱可塑性樹脂の被覆装置は、型枠及び温度保持手段を含むものであり、型枠は、径方向に分割可能な有底筒状を有し、底部に長尺の施工対象物を挿通可能な挿通穴が設けられている。又、温度保持手段は、型枠内に貯留された熱可塑性樹脂の温度を保持するためのものである。このような構成により、型枠は、分割状態にされ、底部に設けられた挿通穴に長尺の施工対象物が通された状態で、底部側を下方にして、例えば施工対象物の被覆範囲の上端近傍において接合される。その後、内部に流動状態の熱可塑性樹脂が注ぎ込まれ、温度保持手段により熱可塑性樹脂の温度が保持された状態で、被覆範囲の下端に到達するまで、施工対象物に沿って降下される。温度保持手段は、型枠に取り付けられるヒーターと、このヒーターの温度を制御する温度制御装置とで構成されている。このとき、型枠の内部に位置する施工対象物の部位は、温度保持手段により温度が保持されることで流動状態が維持された、型枠内に貯留されている熱可塑性樹脂に浸漬される状態になる。この状態で、施工対象物の施工範囲の上端から下端まで型枠が降下されるため、施工対象物の全施工範囲が、熱可塑性樹脂に一時的に浸漬されることとなる。
【００２２】
このため、長尺の施工対象物に対して、その表面に凹凸がある場合であっても、全施工範囲において、表面の凹部まで熱可塑性樹脂が充填されると共に、滑らかで美しい仕上がり面の被覆が形成され、熱可塑性樹脂によって品質良く被覆されるものである。更に、型枠の降下速度が調整されることによって、厚みが薄く均一な被覆が形成されるため、樹脂の使用量が目的に応じた必要十分な量に抑えられ、コストダウンや施工時間の短縮に寄与することとなる。又、本項に記載の熱可塑性樹脂の被覆装置は、熱可塑性樹脂の被覆に利用される従来の専用機器と比較して、装置構成がコンパクトであるため、従来の専用機器では困難であった狭小箇所の施工にも用いられ、更に、運搬コストが低減されるものである。ここで、施工対象物が複数の金属製のワイヤを撚り合わせたワイヤロープであり、そのワイヤロープに油分を含む防錆剤が注入されているため、防錆剤の油分が、熱可塑性樹脂から施工対象物へ伝わる熱の影響を受けて、流動性が高まり施工対象物から溶け出る虞がある。しかしながら、本項に記載の熱可塑性樹脂の被覆装置は、上述したように、厚みが薄く均一な被覆が形成される速度で、型枠が降下されるものであり、又、温度制御装置によって、型枠に取り付けたヒーターの温度を制御するため、熱可塑性樹脂から施工対象物へ不本意な熱が伝わる前に、熱可塑性樹脂が冷めて硬化する。このため、ワイヤロープの内部から防錆剤の油分が外へ溶け出すリスクが、大幅に低減されるものとなる。
【００２３】
（８）上記（７）項において、前記挿通穴の内周面が、前記ワイヤロープの外周面の形状に倣った形状に形成されている熱可塑性樹脂の被覆装置（請求項８）。
本項に記載の熱可塑性樹脂の被覆装置は、型枠の底部に設けられた挿通穴の内周面が、ロープ状の施工対象物（複数の金属製のワイヤを撚り合わせたワイヤロープ）の外周面の形状に倣った形状に形成されている。これにより、挿通穴の内周部と施工対象物の外周部とが常に接触するため、挿通穴とロープ状の施工対象物との間の隙間から、型枠内の熱可塑性樹脂が漏れることが防止されるものである。
【００２４】
（９）上記（８）項において、前記型枠は、筒状の本体部と前記底部とが別体に構成され、前記底部が、前記本体部に対して、前記施工対象物を回転軸とする方向に回転可能に保持されている熱可塑性樹脂の被覆装置（請求項９）。
本項に記載の熱可塑性樹脂の被覆装置は、型枠が、筒状の本体部と、この本体部と別体の底部とで構成されており、型枠の底部が、型枠の本体部に対して、挿通穴に挿通されたロープ状の施工対象物を回転軸とする方向に回転可能に保持されているものである。このため、型枠は、ロープ状の施工対象物に沿って降下される際に、ロープ状の撚り方向（螺旋方向）に沿って、型枠の本体部に対して底部が回転されながら降下される。これにより、挿通穴の内周面の形状と、施工対象物の、挿通穴に挿通している部位の外周面の形状とが常に一致した状態になるため、型枠内の熱可塑性樹脂が漏れることを防止しながら、型枠が円滑に降下されるものとなる。
【００２５】
（１０）上記（８）（９）項において、前記底部がシリコンによって形成されている熱可塑性樹脂の被覆装置。
本項に記載の熱可塑性樹脂の被覆装置は、硬化前の成形性と硬化後の形状維持性とに優れたシリコンによって、型枠の底部を形成するものである。これにより、底部を作製する際は、例えば、硬化前のシリコンを、ロープ状の施工対象物自体又はこれを型取った雄型の周囲に接触させて成形することで、ロープ状の外周面の形状に倣った形状の内周面を有する挿通穴が設けられた、底部の原形が容易に作製される。そして、その原形から作製された硬化後のシリコンにより形成される底部は、その優れた形状維持性から、ロープ状の施工対象物の、断面形状の回転位相の変化に良好に追従して回転するものとなる。
【００２６】
（１１）上記（７）項において、前記挿通穴の内周部に、前記施工対象物と前記底部との間を摺動可能にシールする摺動シール部材が装着されている熱可塑性樹脂の被覆装置（請求項１０）。
本項に記載の熱可塑性樹脂の被覆装置は、挿通穴の内周部に、型枠の底部と施工対象物との間を摺動可能にシールする摺動シール部材が装着されるものである。このような構成であるため、型枠は、ロープ状の施工対象物に沿って降下される際に、挿通穴の内周部に装着された摺動シール部材が、施工対象物の外周部に接触した状態で降下される。これにより、高さ方向の位置に応じて螺旋状に変化する、ロープ状の施工対象物の外周に対して、摺動シール部材が、その特有の性質により接触部位の形状を施工対象物の外周形状に合わせて変化させながら、常に接触する状態になる。このため、挿通穴とロープ状の施工対象物との間の隙間から、型枠内の熱可塑性樹脂が漏れることを防止しながら、型枠が円滑に降下されるものとなる。
【００２７】
（１２）上記（７）から（１１）項において、前記型枠を前記施工対象物に沿って降下及び上昇させるための昇降手段を備え、該昇降手段は、前記型枠を吊り下げるためのワイヤと、該ワイヤの繰り出し及び巻き取りを行う駆動部と、該駆動部を前記施工対象物の任意位置に設置するためのベース部と、前記駆動部の動作を制御する制御部と、を含む熱可塑性樹脂の被覆装置（請求項１１）。
本項に記載の熱可塑性樹脂の被覆装置は、型枠を長尺の施工対象物に沿って降下及び上昇させるための昇降手段を備え、この昇降手段が、型枠を吊り下げるためのワイヤと、ワイヤの繰り出し及び巻き取りを行う駆動部と、駆動部を施工対象物の任意位置に設置するためのベース部と、駆動部の動作を制御する制御部とを含むものである。すなわち、施工対象物の施工範囲の上端よりも上方に、ベース部を介して駆動部が設置され、この駆動部から吊り下げられるワイヤにより、型枠が吊り下げられる態様となる。そして、制御部によって駆動部が制御されることで、ワイヤの繰り出し及び巻き取りが行われ、これに応じて型枠が降下及び上昇する。このような構成により、狭小箇所であっても、型枠の降下及び上昇が円滑に行われるものである。
【００２８】
（１３）上記（９）から（１２）項において、前記本体部が磁石を利用して接合される熱可塑性樹脂の被覆装置。
本項に記載の熱可塑性樹脂の被覆装置は、接合状態で筒状を形成する型枠の本体部が、磁石を利用して接合されていることで、本体部の接合や分割が、迅速に行われるものである。なお、この場合の底部は、例えば、本体部に追従して分割及び接合されるように、保持手段により保持されていると共に、ピン等を用いた単純な機構を介して接合されていることが望ましい。
【００２９】
（１４）上記（９）から（１２）項において、前記本体部がネジ機構を利用して接合される熱可塑性樹脂の被覆装置。
本項に記載の熱可塑性樹脂の被覆装置は、接合状態で筒状を形成する型枠の本体部が、ネジ機構を利用して接合されていることで、本体部を構成する部材同士が強固に接合されるものである。なお、この場合の底部も、上記（１３）項に記載したように、本体部に追従して分割及び接合されるように、保持手段により保持されていると共に、ピン等を用いた単純な機構を介して接合されていてもよい。
【発明の効果】
【００３０】
本発明は上記のような構成であるため、上下方向に延設されると共に表面に凹凸を有する長尺の施工対象物に、熱可塑性樹脂を品質良く被覆することが可能となる。
【図面の簡単な説明】
【００３１】
【図１】本発明の実施の形態に係る熱可塑性樹脂の被覆装置の一例を示す概略図である。
【図２】図１の熱可塑性樹脂の被覆装置の型枠周辺を示す拡大図である。
【図３】図１の熱可塑性樹脂の被覆装置の型枠周辺を下方から示す拡大図である。
【図４】図１の熱可塑性樹脂の被覆装置の昇降手段周辺を示す拡大図である。
【図５】本発明の実施の形態に係る熱可塑性樹脂の被覆方法の一例を示すフロー図である。
【図６】本発明の実施の形態に係る熱可塑性樹脂の被覆装置及び被覆方法において、型枠を降下させる方法の別例を示す概略図である。
【発明を実施するための形態】
【００３２】
以下、本発明を実施するための形態を、添付図面に基づき説明する。なお、図面の全体にわたって、同一部分は同一符号で示している。
図１は、吊り橋等に用いられるハンガーロープ等の、金属製の複数のワイヤを撚り合わせたワイヤロープ（施工対象物）７０に、本発明の実施の形態に係る熱可塑性樹脂の被覆装置１０が設置された状態を概略的に示している。なお、図１において、ワイヤロープ７０は、吊り橋等を構成する一部の構造物７２に埋め込まれた状態であり、構造物７２の、ワイヤロープ７０が埋め込まれた部位の周囲には、座繰り部７４が設けられている。又、以下の説明では、特に断り書きのない限り、ワイヤロープ７０を施工対象物とし、熱可塑性樹脂として熱可塑性防錆樹脂を用いる場合を例にして説明する。
【００３３】
図示のように、熱可塑性樹脂の被覆装置１０は、略円筒形状を有する型枠２０と、型枠２０をワイヤロープ７０に沿って降下及び上昇させるための昇降手段４０と、後述するように型枠２０内に貯留される熱可塑性防錆樹脂の温度を保持するための温度保持手段６０とを含んでいる。型枠２０は、より詳しくは、図２及び図３に拡大図示しているように、接合状態で円筒形状を形成する一対の半割り部材（本体部）２６ａ、２６ｂと、一対の半割り部材２６ａ、２６ｂが形成する円筒形状の底部を成す円形プレート２２と、円形プレート２２を保持するための保持手段２８とを含んでいる。なお、型枠２０は、円筒形状に限定されるものではなく、内部に熱可塑性防錆樹脂を貯留できる筒状であれば、例えば多角筒形状であってもよい。
一対の半割り部材２６ａ、２６ｂは、本実施例では、ネジ機構３４によって接合されており、このネジ機構３４を取り外すことによって、半割り状態へと分割される。なお、一対の半割り部材２６ａ、２６ｂを接合させる手段は、ネジ機構３４に限定されるものではなく、例えば磁石を利用して一対の半割り部材２６ａ、２６ｂを接合させてもよい。
【００３４】
円形プレート２２は、半割り可能なものであり、円形プレート２２を構成する２つのプレート部材は、例えば、他方のプレート部材との接触面にピン挿入穴が設けられ、２つのプレート部材のピン挿入穴に、双方のプレート部材に介在するようにして連結ピンが挿入されることで、接合状態が維持される。なお、円形プレート２２を構成する２つのプレート部材同士の接合は、連結ピンを利用した方法に限定されるものではない。又、円形プレート２２の中央には、ワイヤロープ７０の外周面の螺旋状の凹凸形状に倣った形状の内周面を有する挿通穴２４が設けられている。このため、この挿通穴２４にワイヤロープ７０を挿通すると、図３で確認できるように、ワイヤロープ７０の外周に挿通穴２４の内周部が接触する状態となる。円形プレート２２は、例えばシリコンによって形成されている。
【００３５】
保持手段２８は、円形プレート２２を、一対の半割り部材２６ａ、２６ｂに対して下方から密着させ、かつ、挿通穴２４に挿通されたワイヤロープ７０を回転軸とする方向に回転自在に保持している。保持手段２８は、図３の例では、一対の半割り部材２６ａ、２６ｂの下部に回転可能に固定された、複数のベアリング３０で構成されており、各ベアリング３０に設けられた溝に円形プレート２２の外周部が嵌り込んでいることによって、上述の如く円形プレート２２が保持されている。なお、図３の符号３２は、一対の半割り部材２６ａ、２６ｂに対して、円形プレート２２の回転位置を位置決めするためのプランジャを示している。
【００３６】
ここで、図１〜図３の例では、円形プレート２２に設けられた挿通穴２４の内周面が、ワイヤロープ７０の外周面の形状に倣った形状を有すると共に、円形プレート２２が、保持手段２８によってワイヤロープ７０を回転軸とする方向に回転自在に保持されているが、本発明の実施の形態に係る熱可塑性樹脂の被覆装置１０は、これに限定されるものではない。例えば、挿通穴２４を、ワイヤロープ７０の直径よりも大きな直径を有する円形に設けると共に、その円形の内周部にスポンジ、ブラシ等の可撓性、柔軟性、ないし弾性を有し、円形プレート２２とワイヤロープ７０との間を摺動可能にシールできる摺動シール部材を装着してもよい。更に、この構成の場合は、保持手段２８によって、円形プレート２２を回転自在に保持する必要はなく、円形プレート２２を一対の半割り部材２６ａ、２６ｂに対して下方から密着させるように保持すればよい。
【００３７】
温度保持手段６０は、本実施例では、図２に示すように、ヒーター６２と、ヒーター６２の温度を制御する温度制御装置６４とで構成される。ヒーター６２は、型枠２０内に貯留される熱可塑性防錆樹脂を加熱するように、一対の半割り部材２６ａ、２６ｂの各々に装着されている。温度制御装置６４は、図２では概略的に図示しているが、ヒーター６２と配線を介して接続されるものであり、例えば、図１の図示範囲外に設置され、ヒーター６２との間の配線が、型枠２０の昇降動作を阻害せず、かつ、ワイヤロープ７０に接触しない配線ルートで引きまわされる。なお、温度保持手段６０は、参考例として、例えば、型枠２０の内部から外部へ伝わる熱を抑制するように、一対の半割り部材２６ａ、２６ｂに装着される断熱材であってもよい。
【００３８】
一方、昇降手段４０は、図４に拡大図示しているように、２本のワイヤ４２Ａ、４２Ｂ、駆動部４４、ベース部４６、及び、制御部５０を含んでいる。２本のワイヤ４２Ａ、４２Ｂは、型枠２０を吊り下げるためのものであり、それらの一端側が、アイボルト３６を介して型枠２０と接続され（図２参照）、他端側が、駆動部４４のボビンに接続されている。なお、ワイヤ４２の数は、２本に限定されるものではなく、型枠２０を安定して吊り下げることができる数であればよい。駆動部４４は、モータ等によってボビンを時計回り方向及び半時計回り方向の何れかの方向に回転させることで、２本のワイヤ４２Ａ、４２Ｂの夫々の繰り出し及び巻き取りを行うものであり、ベース部４６上に固定されている。
【００３９】
ベース部４６は、駆動部４４をワイヤロープ７０の高さ方向の任意位置に設置するためのものであり、本実施例では、ベース部４６を構成する２つの部材によってワイヤロープ７０を挟み込み、ボルト穴４８に挿通したボルトを締め付けて２つの部材を接近させることで、ワイヤロープ７０に対してベース部４６が固定設置される。又、制御部５０は、図４では概略的に図示しているが、駆動部４４の動作を制御するものであり、駆動部４４と配線を介して接続される場合は、型枠２０の昇降動作を阻害せず、かつ、ワイヤロープ７０に接触しないルートで、配線が引きまわされる。なお、駆動部４４と制御部５０とが一体的に構成されていてもよい。
【００４０】
続いて、図５に示したフロー図に沿って、上述した熱可塑性樹脂の被覆装置１０を用いた、本発明の実施の形態に係る熱可塑性樹脂の被覆方法について説明する。なお、熱可塑性樹脂の被覆装置１０の構成については、適宜、図１〜図４を参照されたい。
Ｓ１００（昇降手段取り付け）：施工対象物であるワイヤロープ７０に対して、昇降手段４０を取り付ける。取り付け位置は、ワイヤロープ７０の施工範囲の上端よりも上方である。
【００４１】
Ｓ１１０（型枠取り付け）：ワイヤロープ７０に対して、型枠２０を取り付ける。具体的には、分割状態にした型枠２０を、円形プレート（底部）２２に設けた挿通穴２４にワイヤロープ７０を挿通させるようにして、円形プレート２２を下方にして接合状態にする。そして、上記Ｓ１００で設置した昇降手段４０から吊り下げられている２本のワイヤ４２Ａ、４２Ｂの先端を、型枠２０の上端に接続し、昇降手段４０によって型枠２０を吊り下げる状態にする。更に、２本のワイヤ４２Ａ、４２Ｂの繰り出し長さを調整することで、型枠２０をワイヤロープ７０の施工範囲の上端近傍に配置する。
【００４２】
Ｓ１２０（型枠加熱）：ヒーター６２と温度制御装置６４とで構成される温度保持手段６０により、型枠２０の加熱を開始する。加熱温度は、後述するように型枠２０内に注ぎ込まれる熱可塑性防錆樹脂が、硬化せずに流動状態を維持できるような温度とする。なお、温度保持手段６０が断熱材である場合は、本工程が省略される。
Ｓ１３０（熱可塑性樹脂準備）：ワイヤロープ７０を被覆するための熱可塑性防錆樹脂を準備する。すなわち、汎用の加熱機器等を用いて熱可塑性防錆樹脂を加熱し、流動状態にする。
Ｓ１４０（熱可塑性樹脂注ぎ込み）：上記Ｓ１２０で設置した型枠２０内に、上記Ｓ１３０で準備した流動状態の熱可塑性防錆樹脂を注ぎ込む。これにより、ワイヤロープ７０の、型枠２０の内部に位置する部位が、型枠２０内に貯留された熱可塑性防錆樹脂に浸漬される状態になる。
【００４３】
Ｓ１５０（型枠降下開始）：型枠２０の降下を開始する。具体的には、昇降手段４０の駆動部４４を制御部５０によって制御することで、駆動部４４から２本のワイヤ４２Ａ、４２Ｂを繰り出し、型枠２０をワイヤロープ７０に沿って降下させる。このとき、型枠２０の降下に伴い、型枠２０の円形プレート２２が、ワイヤロープ７０の撚り方向に沿って回転する。この型枠２０の降下により、型枠２０内の熱可塑性防錆樹脂に浸漬されるワイヤロープ７０の部位が、下方向へシフトする。
Ｓ１６０（型枠降下終了）：型枠２０がワイヤロープ７０の施工範囲の下端に到達したら、昇降手段４０の制御部５０により駆動部４４を制御して、２本のワイヤ４２Ａ、４２Ｂの繰り出しを停止し、型枠２０の降下を終了する。これにより、ワイヤロープ７０の全施工範囲が、一時的に型枠２０内の熱可塑性防錆樹脂に浸漬されたことになる。
【００４４】
Ｓ１７０（型枠分割）：型枠２０を分割する。すなわち、一対の半割り部材２６ａ、２６ｂと円形プレート２２とを分割して、半割り状態にする。
Ｓ１８０（構造物の座繰り部充填）：上記Ｓ１７０において型枠２０を分割することで、型枠２０の内部に残っていた熱可塑性防錆樹脂を、図１に示すような構造物７２の座繰り部７４へ流し込み、座繰り部７４に熱可塑性防錆樹脂を充填する。なお、円形プレート２２を一対の半割り部材２６ａ、２６ｂから独立して分割できるように設けておくことで、上記Ｓ１７０で円形プレート２２のみを分割し、型枠２０の内部に残っていた熱可塑性防錆樹脂を座繰り部７４へ流し込んでもよい。
【００４５】
さて、上記構成をなす本発明の実施の形態によれば、次のような作用効果を得ることが可能である。すなわち、本発明の実施の形態に係る熱可塑性樹脂の被覆装置１０は、図１〜図４に示すように、型枠２０、昇降手段４０及び温度保持手段６０を含むものであり、型枠２０は、径方向に分割可能な有底筒状を有し、底部２２に長尺の施工対象物７０を挿通可能な挿通穴２４が設けられている。又、昇降手段４０は、型枠２０を長尺の施工対象物７０に沿って降下及び上昇させるためのものであり、温度保持手段６０は、型枠２０に貯留された熱可塑性樹脂の温度を保持するためのものである。このような構成により、型枠２０は、分割状態にされ、底部２２に設けられた挿通穴２４に長尺の施工対象物７０が通された状態で、底部２２側を下方にして、施工対象物７０の被覆範囲の上端近傍において接合される。その後、内部に流動状態の熱可塑性樹脂が注ぎ込まれ、温度保持手段６０により熱可塑性樹脂の温度が保持された状態で、被覆範囲の下端に到達するまで、昇降手段４０により施工対象物７０に沿って降下される。温度保持手段６０は、型枠２０に取り付けられるヒーター６２と、このヒーター６２の温度を制御する温度制御装置６４とで構成されている。このとき、型枠２０の内部に位置する施工対象物の部位は、温度保持手段６０により温度が保持されることで流動状態が維持された、型枠２０に貯留されている熱可塑性樹脂に浸漬される状態になる。この状態で、施工対象物７０の施工範囲の上端から下端まで型枠２０が降下されるため、施工対象物７０の全施工範囲が、熱可塑性樹脂に一時的に浸漬されることとなる。
【００４６】
このため、長尺の施工対象物７０に対して、その表面に凹凸がある場合であっても、全施工範囲において、表面の凹部まで熱可塑性樹脂を充填することができると共に、滑らかで美しい仕上がり面の被覆を形成することができる。これにより、熱可塑性樹脂を品質良く被覆することが可能となる。更に、型枠２０の降下速度を調整することによって、厚みが薄く均一な被覆を形成することができるため、樹脂の使用量を目的に応じた必要十分な量に抑えることができ、コストダウンや施工時間の短縮に寄与することが可能となる。又、熱可塑性樹脂の被覆装置１０は、熱可塑性樹脂の被覆に利用される従来の専用機器と比較して、装置構成がコンパクトであるため、従来の専用機器では困難であった狭小箇所の施工にも用いることができ、更に、運搬コストを低減することができる。
【００４７】
更に、本発明の実施の形態に係る熱可塑性樹脂の被覆装置１０は、複数の金属製のワイヤを撚り合わせたワイヤロープ７０が施工対象物であり、このワイヤロープ７０には、長尺方向と直交する断面の、複数のワイヤが成す円形配置の中心近傍に相当する部分に、油分を含む防錆剤が注入されている。この防錆剤の油分は、ワイヤロープ７０が熱可塑性樹脂の熱によって熱せられると、流動性が高まってワイヤロープ７０から溶け出る虞がある。しかしながら、本発明の実施の形態に係る熱可塑性樹脂の被覆装置１０は、厚みが薄く均一な被覆が形成される速度で、型枠２０が降下されるものであり、又、温度制御装置６４によって、型枠２０に取り付けたヒーター６２の温度を制御するため、熱可塑性樹脂からワイヤロープ７０へ不本意な熱が伝わる前に、熱可塑性樹脂が冷めて硬化する。このため、ワイヤロープ７０の内部から防錆剤の油分が外へ溶け出すリスクを、大幅に低減することが可能となる。
【００４８】
又、本発明の実施の形態に係る熱可塑性樹脂の被覆装置１０は、型枠２０が、接合状態で円筒形状を形成する一対の半割り部材（本体部）２６ａ、２６ｂ、型枠２０の底部を成す半割り可能な円形プレート２２、及び、円形プレート２２を保持する保持手段２８を含んでいる。又、型枠２０の底部を成す円形プレート２２は、ワイヤロープ７０の外周面の形状に倣った形状の内周面を有する挿通穴２４が設けられており、保持手段２８は、円形プレート２２を、半割り部材２６ａ、２６ｂに対して下方から密着させるように、かつ、ワイヤロープ７０を回転軸とする方向に回転自在に保持する。
【００４９】
このような構成であるため、型枠２０は、ワイヤロープ７０に沿って降下される際に、ワイヤロープ７０の撚り方向に沿って、一対の半割り部材２６ａ、２６ｂに対して円形プレート２２が回転されながら降下される。ここで、ワイヤロープ７０は、螺旋状に変化する外周面を有しているため、上記の如く型枠２０を降下させることで、挿通穴２４の内周面の形状と、ワイヤロープ７０の、挿通穴２４に挿通している部位の外周面の形状とを、常に一致させた状態にできる。これにより、挿通穴２４の内周部とワイヤロープ７０の外周部とを常に接触させることができるため、挿通穴２４とワイヤロープ７０との間の隙間から、型枠２０内の熱可塑性樹脂が漏れることを防止しながら、型枠２０を円滑に降下させることが可能となる。
【００５０】
又、本発明の実施の形態に係る熱可塑性樹脂の被覆装置１０は、硬化前の成形性と硬化後の形状維持性とに優れたシリコンによって、円形プレート２２を形成してもよい。このようにすることで、円形プレート２２を作製する際は、例えば、硬化前のシリコンを、ワイヤロープ７０自体又はこれを型取った雄型の周囲に接触させて成形することで、ワイヤロープ７０の外周面の形状に倣った形状の内周面を有する挿通穴２４が設けられた、円形プレート２２の原形を容易に作製することができる。更に、その原形から作製した、硬化後のシリコンにより形成される円形プレート２２は、その優れた形状維持性から、ワイヤロープ７０の断面形状の回転位相の変化に、良好に追従して回転することができる。
【００５１】
又、本発明の実施の形態に係る熱可塑性樹脂の被覆装置１０は、挿通穴２４の内周部に、円形プレート２２とワイヤロープ７０との間を摺動可能にシールする摺動シール部材が装着され、保持手段２８が円形プレート２２を半割り部材２６ａ、２６ｂに対して下方から密着させるように保持するものであってもよい。このような構成の場合、型枠２０は、ワイヤロープ７０に沿って降下される際に、挿通穴２４の内周部に装着された摺動シール部材が、ワイヤロープ７０の外周部に接触した状態で降下される。これにより、高さ方向の位置に応じて螺旋状に変化する、ワイヤロープ７０の外周に対して、摺動シール部材が、その特有の性質により接触部位の形状をワイヤロープ７０の外周形状に合わせて変化させながら、常に接触する状態になる。このため、上記のような構成であっても、挿通穴２４とワイヤロープ７０との間の隙間から、型枠２０内の熱可塑性樹脂が漏れることを防止しながら、型枠２０を円滑に降下させることが可能となる。
【００５２】
更に、本発明の実施の形態に係る熱可塑性樹脂の被覆装置１０は、昇降手段４０が、型枠２０を吊り下げるための２本のワイヤ４２Ａ、４２Ｂと、これらのワイヤ４２Ａ、４２Ｂの繰り出し及び巻き取りを行う駆動部４４と、駆動部４４をワイヤロープ７０の任意位置に設置するためのベース部４６と、駆動部４４の動作を制御する制御部５０とを含むものである。すなわち、ワイヤロープ７０の施工範囲の上端よりも上方に、ベース部４６を介して駆動部４４が設置され、この駆動部４４から吊り下げられる２本のワイヤ４２Ａ、４２Ｂにより、型枠２０が吊り下げられる態様となる。そして、制御部５０によって駆動部４４が制御されることで、２本のワイヤ４２Ａ、４２Ｂの繰り出し及び巻き取りが行われ、これに応じて型枠２０が降下及び上昇する。このような構成により、狭小箇所であっても、型枠２０の降下及び上昇を円滑に行うことができる。
【００５３】
なお、熱可塑性樹脂の被覆装置１０は、参考例として、温度保持手段６０が、型枠２０に取り付けられる断熱材であってもよく、この場合は、制御や動力を要する装置等を用いることなく、単純な構成で熱可塑性樹脂の温度の保持を実現することが可能となる。
【００５４】
又、本発明の実施の形態に係る熱可塑性樹脂の被覆装置１０は、接合状態で円筒形状を形成する一対の半割り部材２６ａ、２６ｂが、ネジ機構３４を利用して接合されていることで、一対の半割り部材２６ａ、２６ｂ同士を強固に接合することができる。更に、一対の半割り部材２６ａ、２６ｂが、磁石を利用して接合されていてもよく、この場合には、一対の半割り部材２６ａ、２６ｂの接合や分割を、迅速に行うことができる。なお、半割り可能な円形プレート２２は、例えば、半割り部材２６ａ、２６ｂに追従して分割及び接合されるように、保持手段２８により保持されていると共に、連結ピン等を用いた単純な機構を介して接合されていることが望ましい。
【００５５】
一方、本発明の実施の形態に係る熱可塑性樹脂の被覆方法は、径方向に分割可能な有底筒状を有する型枠２０の底部２２に、長尺の施工対象物７０を挿通可能な挿通穴２４を設け、底部２２を下方にして挿通穴２４に施工対象物７０を挿通させる態様で、型枠２０を施工対象物７０の被覆範囲の上端近傍に設置する（図５のＳ１１０）。すなわち、有底筒状の型枠２０を分割状態にし、底部２２に設けた挿通穴２４を長尺の施工対象物７０が通るように、型枠２０の底部２２側を下方にして、施工対象物７０の被覆範囲の上端近傍において型枠２０を接合する。すると、施工対象物７０は、被覆範囲の上端近傍の部位が型枠２０の内部に位置し、被覆範囲の上端よりも下方の部位が挿通穴２４を介して下方へ延在する状態となる。そして、接合させた有底筒状の型枠２０内へ、加熱して流動状態にした熱可塑性樹脂を注ぎ込み（図５のＳ１４０）、型枠２０内の熱可塑性樹脂の温度を保持した状態（図５のＳ１２０）で、型枠２０が施工対象物７０の被覆範囲の下端に到達するまで、型枠２０を施工対象物７０に沿って降下させるものである（図５のＳ１５０、Ｓ１６０）。型枠２０内の熱可塑性樹脂の温度保持は、型枠２０に取り付けるヒーター６２と、このヒーター６２の温度を制御する温度制御装置６４とを用いて行う。
【００５６】
この際、型枠２０の内部に位置する施工対象物７０の部位は、温度が保持されることで流動状態が維持された熱可塑性樹脂に浸漬される状態になる。この状態で、施工対象物７０の施工範囲の上端から下端まで型枠２０を降下させるため、施工対象物７０の全施工範囲が、熱可塑性樹脂に一時的に浸漬されることとなる。このため、施工対象物７０の表面に凹凸がある場合であっても、全施工範囲にわたって、施工対象物７０表面の凹部まで熱可塑性樹脂を充填することができると共に、滑らかで美しい仕上がり面の被覆を形成することができる。これにより、長尺の施工対象物７０に対して、熱可塑性樹脂を品質良く被覆することが可能となる。更に、型枠２０を降下させる速度を調整することによって、厚みが薄く均一な被覆を形成することができるため、樹脂の使用量を目的に応じた必要十分な量に抑えることができ、コストダウンや施工時間の短縮に寄与することが可能となる。
【００５７】
ここで、本発明の実施の形態に係る熱可塑性樹脂の被覆方法は、施工対象物が複数の金属製のワイヤを撚り合わせたワイヤロープ７０であるが、このワイヤロープ７０には、油分を含む防錆剤が注入されている。この防錆剤の油分は、熱可塑性樹脂からワイヤロープ７０へ伝わる熱の影響を受けて、流動性が高まりワイヤロープ７０から溶け出る虞がある。しかしながら、本熱可塑性樹脂の被覆方法は、上述したように、厚みが薄く均一な被覆が形成される速度で、型枠２０を降下させ、なおかつ、温度制御装置６４によって、型枠２０に取り付けたヒーター６２の温度を制御するものであるため、熱可塑性樹脂からワイヤロープ７０へ不本意な熱が伝わる前に、熱可塑性樹脂が冷めて硬化する。このため、ワイヤロープ７０の内部から防錆剤の油分が外へ溶け出すリスクを、大幅に低減することができる。
【００５８】
又、本発明の実施の形態に係る熱可塑性樹脂の被覆方法は、ワイヤロープ７０の外周面の形状に倣った形状に、底部２２の挿通穴２４の内周面を設ける。そして、熱可塑性樹脂が注ぎ込まれた型枠２０を降下させる際に、ワイヤロープ７０のロープ状の撚り方向に沿って、型枠２０の少なくとも底部２２を回転させながら降下させるものである。これにより、挿通穴２４の内周面の形状と、ワイヤロープ７０の、挿通穴２４に挿通している部位の外周面の形状とが常に一致するため、挿通穴２４の内周部とワイヤロープ７０の外周部とを常に接触させさせることができ、挿通穴２４とワイヤロープ７０との間の隙間から、型枠２０内の熱可塑性樹脂が漏れることを防止することができる。なお、型枠２０の底部２２を回転させる際は、底部２２のみを一対の半割り部材２６ａ、２６ｂに対して回転させてもよく、型枠２０全体を回転させてもよい。
【００５９】
又、本発明の実施の形態に係る熱可塑性樹脂の被覆方法は、挿通穴２４の内周部に、例えばスポンジ、ブラシ等の、底部２２とワイヤロープ７０との間を摺動可能にシールする摺動シール部材を装着してもよい。この場合には、熱可塑性樹脂が注ぎ込まれた型枠２０を降下させる際に、挿通穴２４の内周部に装着した摺動シール部材を、ワイヤロープ７０に接触させた状態で降下させる。すなわち、摺動シール部材が接触するワイヤロープ７０の外周面は、螺旋状に変化するが、摺動シール部材は、その特有の性質によって、変化するワイヤロープ７０の外周面に合わせて、ワイヤロープ７０に対して接触する部位の形状が変化する。これにより、挿通穴２４とワイヤロープ７０との間の隙間から、型枠２０内の熱可塑性樹脂が漏れることを防止しながら、型枠２０を降下させることができる。
【００６０】
更に、本発明の実施の形態に係る熱可塑性樹脂の被覆方法は、挿通穴２４の内周部に可撓性部材を装着した場合に、被覆範囲の上端近傍への型枠２０の設置（図５のＳ１１０）から、被覆範囲の下端への型枠２０の降下（図５のＳ１６０）までの工程を実行し、型枠２０を分割状態にしてワイヤロープ７０から取り外した後、再度、被覆範囲の上端近傍への型枠２０の設置から、被覆範囲の下端への型枠２０の降下までの工程を実行することで、ワイヤロープ７０に対して熱可塑性樹脂を二層に被覆してもよい。このとき、二層目の被覆を行う際のワイヤロープ７０は、一層目の被覆を行う際のワイヤロープ７０と比較して、一層目の被覆が既に形成されていることで、外周形状やその大きさが変化している。しかしながら、その変化量は、被覆の厚みが薄いことから僅かなものであるため、型枠２０の挿通穴２４の内周部に装着された摺動シール部材によって吸収される。このため、二層目の被覆を行う際に用いる型枠２０は、一層目の被覆の際よりも大きな挿通穴２４が設けられた底部２２を有する型枠２０である必要はなく、一層目の被覆を行う際に用いた型枠２０をそのまま利用することができる。従って、ワイヤロープ７０に対して熱可塑性樹脂を、効率よく二層に被覆することが可能となる。
【００６１】
ここで、ワイヤロープ７０に対して一層目の被覆を形成したとき、ワイヤロープ７０の内部に残存する僅かな空気が、熱可塑性樹脂の熱の影響によって、ワイヤロープ７０の内部から、ワイヤロープ７０の外周部と熱可塑性樹脂の被覆との間へ移動し、空気が入った玉が被覆に形成される場合がある。この場合には、その玉の部分を潰し、その周囲の熱可塑性樹脂に熱を加えて、ワイヤロープ７０の表面が露出しないように熱可塑性樹脂の形を整えた後に、二層目の被覆を行えばよい。二層目の被覆の際は、ワイヤロープ７０に一層目の被覆が形成されているため、ワイヤロープ７０まで熱可塑性樹脂の熱が伝わり難く、空気が入った玉が被覆に形成されることはない。このように、一層目の被覆に空気が入った玉が発生した場合であっても、二層目の被覆を形成することで、滑らかで美しい仕上がり面の被覆を形成することができる。
【００６２】
又、本発明の実施の形態に係る熱可塑性樹脂の被覆方法は、型枠２０を降下させた後に、型枠２０内に残っていた熱可塑性樹脂を、ワイヤロープ７０が埋め込まれた構造物７２の、ワイヤロープ７０が埋め込まれた部位の周囲に設けられた座繰り部７４内へ流し込むものである（図５のＳ１８０）。これにより、ワイヤロープ７０の、被覆範囲の下端側の部位の周囲や、ワイヤロープ７０と構造物７２との間の隙間においても、熱可塑性樹脂の被覆を形成することが可能となる。
【００６３】
更に、本発明の実施の形態に係る熱可塑性樹脂の被覆方法は、金属製のワイヤロープ７０に対して、熱可塑性の防錆樹脂を被覆するものである。ここで、熱可塑性の防錆樹脂は、一般的に、専用機器を用いて加熱や吹き付け等を行っていたが、特にその加熱は時間を要するものであった。しかしながら、本発明の実施の形態に係る熱可塑性樹脂の被覆方法は、熱可塑性防錆樹脂の吹き付けや加熱を行うための専用機器を用いる必要はなく、吹き付け機能が無い加熱に特化した汎用の加熱機器（電気鍋等）を用いて、必要十分な量だけの熱可塑性防錆樹脂を加熱すればよいものである。従って、熱可塑性防錆樹脂の加熱時間を大幅に短縮することができ、延いては、全体の施工時間を大幅に短縮することが可能となる。
【００６４】
ここで、本発明の実施の形態に係る熱可塑性樹脂の被覆装置１０及び被覆方法は、上述した実施例に限定されるものではなく、本発明の趣旨を逸脱しない範囲において、様々な形態をとり得るものである。例えば、径方向に分割可能な型枠２０は、本体部と底部２２とが一体的に形成されていてもよい（すなわち、一方の半割り部材２６ａと円形プレート２２を構成する一方のプレート部材とが一体的に形成され、他方の半割り部材２６ｂと円形プレート２２を構成するもう一方のプレート部材とが一体的に形成されているような構成）。又、底部２２が、型枠２０の本体部から独立して分割可能なものであってもよい。
【００６５】
更に、本発明の実施の形態に係る熱可塑性樹脂の被覆装置１０及び被覆方法は、図４に示したような昇降手段４０を用いる以外の方法で、型枠２０を降下させてもよい。例えば、図６に示すように、ワイヤロープ７０の周囲にワイヤロープ７０と平行に、２本の硬性の棒状ガイド部材５２を配置し、棒状ガイド部材５２に係合すると共に棒状ガイド部材５２に沿って昇降可能な可動部５４と、型枠２０とを、接続部５６を介して接続した構成を利用してもよい。この場合、棒状ガイド部材５２にネジ溝のようなものを設け、可動部５４の棒状ガイド部材５２に対する係合部分が、棒状ガイド部材５２のネジ溝に沿って回転するような構成であってもよい。更に、可動部５４に自走機構を設け、この自走機構を利用して型枠２０を降下させてもよい。上記のような構成によれば、型枠２０の底部２２が型枠２０の本体部に対して回転する場合であっても、型枠２０の本体部をより強固に支持しながら、降下させることができる。なお、硬性の棒状ガイド部材５２を配置する本数は、型枠２０を安定して降下させることができれば、１本であってもよく、３本以上であってもよい。又、型枠２０の降下を、人力により行ってもよい。この場合には、上述した棒状ガイド部材を用いるか否かに関わらず、型枠２０に取っ手の役割をする部位を設けると、作業性が向上するため望ましい。
【符号の説明】
【００６６】
１０：熱可塑性樹脂の被覆装置、２０：型枠、２２：底部（円形プレート）、２４：挿通穴、２６ａ、２６ｂ：一対の半割り部材（本体部）、４０：昇降手段、４２Ａ、４２Ｂ：ワイヤ、４４：駆動部、４６：ベース部、５０：制御部、６０：温度保持手段、７０：施工対象物（ワイヤロープ）、７２：構造物、７４：座繰り部
【要約】
【課題】上下方向に延設されると共に表面に凹凸を有する長尺の施工対象物に、熱可塑性樹脂を品質良く被覆する。
【解決手段】本熱可塑性樹脂の被覆方法は、径方向に分割可能な有底筒状を有する型枠の底部に、長尺の施工対象物を挿通可能な挿通穴を設け、底部を下方にして挿通穴に施工対象物を挿通させる態様で、型枠を施工対象物の被覆範囲の上端近傍に設置する（Ｓ１１０）。そして、型枠内へ流動状態の熱可塑性樹脂を注ぎ込み（Ｓ１４０）、型枠内の熱可塑性樹脂の温度を保持した状態（Ｓ１２０）で、型枠が施工対象物の被覆範囲の下端に到達するまで、型枠を施工対象物に沿って降下させる（Ｓ１５０、Ｓ１６０）。これにより、施工対象物の全施工範囲が、熱可塑性樹脂に一時的に浸漬されるため、表面の凹部まで熱可塑性樹脂を充填することができ、滑らかで美しい被覆を形成することができる。
【選択図】図５【図１】
0005973687.tif 000002
【図２】
0005973687.tif 000003
【図３】
0005973687.tif 000004
【図４】
0005973687.tif 000005
【図５】
0005973687.tif 000006
【図６】
0005973687.tif 000007